(57)【要約】【課題】  感光体ドラムの径の相違によらず、複数色の再現位置を均一化し、高品質の画像を得ることができる画像形成装置を提供する。【解決手段】  トナー画像を形成する複数の画像形成部１Ｙ〜Ｋと、各画像形成部１Ｙ〜Ｋに対峙して移動し各画像形成部１Ｙ〜Ｋからトナー画像が転写される転写体２０とを備え、複数の画像形成部１Ｙ〜Ｋはそれぞれ回転する感光体ドラム１０、１０'を備え、複数の感光体ドラムのうち一部の感光体ドラム１０'は残りの感光体ドラム１０よりもその径が大きい画像形成装置であり、  各画像形成部１Ｙ〜Ｋが備える各感光体ドラム１０、１０'の径の相違に応じて各画像形成部１Ｙ〜Ｋにおけるトナー画像の形成条件Ｃ（Ｙ）〜Ｃ（Ｋ）が異なる画像形成装置。【選択図】          図１
2005115154.tif 000002
【特許請求の範囲】
【請求項１】
トナー画像を形成する複数の画像形成部と、各画像形成部に対峙して移動し各画像形成部からトナー画像が転写される転写体とを備え、複数の画像形成部はそれぞれ回転する感光体ドラムを備え、複数の感光体ドラムのうち一部の感光体ドラムは残りの感光体ドラムよりもその径が大きい画像形成装置であり、
各画像形成部が備える各感光体ドラムの径の相違に応じて各画像形成部におけるトナー画像の形成条件が異なる画像形成装置。
【請求項２】
前記複数の画像形成部として、ブラック、シアン、マゼンタ、イエローに対応する４つの画像形成部を備え、ブラックに対応する画像形成部が備える感光体ドラムの径は、シアン、マゼンタ、イエローに対応する画像形成部が備える感光体ドラムの径よりも大きい請求項１に記載の画像形成装置。
【請求項３】
前記各画像形成部は、感光体ドラムに対峙して回転する現像ロールを備え、当該感光体ドラムの径に応じて感光体ドラムと現像ロールの各相対速度が異なる請求項１に記載の画像形成装置。
【請求項４】
前記感光体ドラムの径が小さい場合には、当該感光体ドラムの径が大きい場合に比べ、当該感光体ドラムに対峙する現像ロールの回転速度をより速く設定する請求項３に記載の画像形成装置。
【請求項５】
径の小さい前記感光体ドラムに対峙する現像ロールの回転方向を、径の大きい前記感光体ドラムに対峙する現像ロールの回転方向と逆に設定する請求項３に記載の画像形成装置。
【請求項６】
前記各画像形成部は、感光体ドラムに対峙して現像バイアスが印加される現像ロールを備え、当該感光体ドラムの径に応じて現像バイアスの交流成分の振幅が異なる請求項１に記載の画像形成装置。
【請求項７】
前記感光体ドラムの径が小さい場合には、当該感光体ドラムの径が大きい場合に比べ、当該感光体ドラムに対峙する現像ロールに印加される現像バイアスの交流成分の振幅をより大きく設定する請求項６に記載の画像形成装置。
【請求項８】
前記各画像形成部は、感光体ドラムに対峙して現像バイアスが印加される現像ロールを備え、当該感光体ドラムの径に応じて現像バイアスの交流成分の周波数が異なる請求項１に記載の画像形成装置。
【請求項９】
前記感光体ドラムの径が小さい場合には、当該感光体ドラムの径が大きい場合に比べ、当該感光体ドラムに対峙する現像ロールに印加される現像バイアスの交流成分の周波数をより大きく設定する請求項８に記載の画像形成装置。
【請求項１０】
前記各画像形成部は、感光体ドラム表面を万線スクリーン露光する露光手段を備え、前記感光体ドラムの径に応じて万線スクリーンの角度が異なる請求項１に記載の画像形成装置。
【請求項１１】
前記感光体ドラムの径が小さい場合には、当該感光体ドラムの径が大きい場合に比べ、前記万線スクリーンの各線が当該感光体ドラムの回転軸に対して水平に近い請求項１０に記載の画像形成装置。
【請求項１２】
前記感光体ドラムの径が小さい場合には、前記万線スクリーンの各線が当該感光体ドラムの回転軸に対して水平である請求項１１に記載の画像形成装置。
【請求項１３】
前記露光手段は、使用する万線スクリーンの線数に応じて万線スクリーンの角度を変更する請求項１０に記載の画像形成装置。
【発明の詳細な説明】
【技術分野】
【０００１】
本発明は、複数の画像形成部を備え、単色トナー画像を順次重ね合わせて多色トナー画像を得る画像形成装置に関し、その画像形成装置の高画質化技術に係る。
【背景技術】
【０００２】
【特許文献１】特開２０００−２４２０５７号公報
【特許文献２】特開２００２−１０８０４４号公報
【０００３】
従来、イエロー、シアン、マゼンタ、ブラックのそれぞれ単色トナー画像を形成する４つの画像形成部を備えるタンデム型のカラー画像形成装置では、感光体ドラムの生産性の観点から、各色とも同一の感光体ドラムを用いていた。また、最近の画像形成装置では、装置の小型化の要請から感光体ドラムの径が小径化している。特に、タンデム型のカラー画像形成装置では、４本もの感光体ドラムが必要なため、各感光体ドラムとしてより小径のものを選択する傾向が強い。
【０００４】
一方、これら４本の感光体ドラムのうち、ブラックに対応する感光体ドラムは、他のカラー色（イエロー、シアン、マゼンタ）に対応する感光体ドラムに比べて、一般的に、その使用頻度が極めて高い。したがって、各色に対応して同一の感光体ドラムを採用すると、ブラックに対応する感光体ドラムの磨耗は、他のカラー色に対応する感光体ドラムに比べて進行しやすく、装置全体の寿命のボトルネックとなってしまう。特に、上述のように感光体ドラムが小径化する傾向にある今日では、ブラックに対応する感光体ドラムの磨耗による寿命が問題となりやすい。
【０００５】
そこで、装置全体の小型化と長寿命化とを両立する観点から、ブラックに対応する感光体ドラムの径を、他のカラー色に対応する感光体ドラムの径よりも大きく構成し、使用頻度の高いブラックに対応する感光体ドラムの寿命を延ばすことで、装置全体の寿命を延ばすとともに、他のカラー色に対応する感光体ドラムは比較的小径のものを採用することで、装置全体の小型化を図る技術が提案されている。
【０００６】
例えば、特許文献１には、ブラックに対応する感光体ドラムの径を他のカラー色に対応する感光体ドラムの径よりも大きく構成する技術、さらに、ブラックに対応する感光体ドラムの感光層を他のカラー色に対応する感光体ドラムの感光層よりも厚く構成する技術が開示されている。特許文献２には、ブラックに対応する感光体ドラムの径を他のカラー色に対応する感光体ドラムの径よりも大きく構成するとともに、各感光体ドラムの周速度が一定とする技術が開示されている。
【発明の開示】
【発明が解決しようとする課題】
【０００７】
しかしながら、特許文献１、特許文献２のいずれも、各感光体ドラムの径の相違に起因するハイライト領域における再現性ばらつきの課題を認識しておらず、その対策を教えるものではない。すなわち、ハイライト領域において、感光体ドラムの径が比較的大きいブラック色は、感光体ドラムの径が比較的小さいカラー色に比べて現像されやすく、ブラック色とカラー色とで再現開始位置が異なり、画質に大きな不具合を生じさせるおそれがある。
【０００８】
本発明は、このような技術的な課題に鑑みてなされたものであり、その目的は、感光体ドラムの径の相違によらず、複数色の再現位置を均一化し、高品質の画像を得ることができる画像形成装置を提供することにある。
【課題を解決するための手段】
【０００９】
本発明は、トナー画像を形成する複数の画像形成部と、各画像形成部に対峙して移動し各画像形成部からトナー画像が転写される転写体とを備え、複数の画像形成部はそれぞれ回転する感光体ドラムを備え、複数の感光体ドラムのうち一部の感光体ドラムは残りの感光体ドラムよりもその径が大きい画像形成装置であり、各画像形成部が備える各感光体ドラムの径の相違に応じて各画像形成部におけるトナー画像の形成条件が異なる画像形成装置である。この画像形成装置のより具体的な構成は、例えば、前記複数の画像形成部として、ブラック、シアン、マゼンタ、イエローに対応する４つの画像形成部を備え、ブラックに対応する画像形成部が備える感光体ドラムの径は、シアン、マゼンタ、イエローに対応する画像形成部が備える感光体ドラムの径よりも大きいものを挙げることができる。
【００１０】
トナー画像の形成条件の一例として、感光体ドラムと現像ロールとの相対速度を挙げることができる。すなわち、前記各画像形成部は、感光体ドラムに対峙して回転する現像ロールを備え、当該感光体ドラムの径に応じて感光体ドラムと現像ロールの各相対速度が異なるように構成することができる。より具体的には、前記感光体ドラムの径が小さい場合には、当該感光体ドラムの径が大きい場合に比べ、当該感光体ドラムに対峙する現像ロールの回転速度をより速く設定することができる。さらに、径の小さい前記感光体ドラムに対峙する現像ロールの回転方向を、径の大きい前記感光体ドラムに対峙する現像ロールの回転方向と逆に設定することもできる。
【００１１】
トナー画像の形成条件の他の例として、現像バイアスの交流成分の振幅を挙げることができる。すなわち、前記各画像形成部は、感光体ドラムに対峙して現像バイアスが印加される現像ロールを備え、当該感光体ドラムの径に応じて現像バイアスの交流成分の振幅が異なるように構成することができる。より具体的には、前記感光体ドラムの径が小さい場合には、当該感光体ドラムの径が大きい場合に比べ、当該感光体ドラムに対峙する現像ロールに印加される現像バイアスの交流成分の振幅をより大きく設定することができる。
【００１２】
トナー画像の形成条件の他の例として、現像バイアスの交流成分の周波数を挙げることができる。すなわち、前記各画像形成部は、感光体ドラムに対峙して現像バイアスが印加される現像ロールを備え、当該感光体ドラムの径に応じて現像バイアスの交流成分の周波数が異なるよう構成することができる。より具体的には、前記感光体ドラムの径が小さい場合には、当該感光体ドラムの径が大きい場合に比べ、当該感光体ドラムに対峙する現像ロールに印加される現像バイアスの交流成分の周波数をより大きく設定することができる。
【００１３】
トナー画像の形成条件の他の例として、万線スクリーンの角度を挙げることができる。すなわち、前記各画像形成部は、感光体ドラム表面を万線スクリーン露光する露光手段を備え、前記感光体ドラムの径に応じて万線スクリーンの角度が異なるよう構成することができる。より具体的には、前記感光体ドラムの径が小さい場合には、当該感光体ドラムの径が大きい場合に比べ、前記万線スクリーンの各線が当該感光体ドラムの回転軸に対して水平に近く設定することができる。例えば、前記感光体ドラムの径が小さい場合には、前記万線スクリーンの各線が当該感光体ドラムの回転軸に対して水平としてもよい。さらに、前記露光手段は、使用する万線スクリーンの線数に応じて万線スクリーンの角度を変更するよう構成することもできる。
【発明の効果】
【００１４】
この発明によれば、感光体ドラムの径の相違によらず、複数色の再現位置を均一化し、高品質の画像を得ることができる画像形成装置を提供することができる。
【発明を実施するための最良の形態】
【００１５】
以下に、この発明の実施の形態について図面を参照して説明する。
【００１６】
図１は、この実施形態に係るカラープリンタ（画像形成装置）１の断面概略図である。まず、このカラープリンタ１の基本的な構成を説明する。このカラープリンタ１は、複数のロール２１、２２、２３により張架され、図中矢印の方向に回転駆動される中間転写ベルト（転写体）２０を備える。なお、中間転写ベルト２０を挟みロール２３に対峙して二次転写ロール２４が設けられている。また、中間転写ベルト２０に対し、その上流側から下流側にかけて、イエロー、シアン、マゼンタ、ブラックの各色の画像形成ユニット（画像形成部）１Ｙ〜Ｋが配設されている。また、用紙搬送系としては、用紙トレイ４０、ピックアップロール４１、フィードロール４２、リタードロール４３、その他図示しない搬送ロールを備えている。さらに、定着系としては、互いに圧接して回転する加熱ロール３１と加圧ロール３２とを備えている。なお、この実施形態に係るカラープリンタ１は、各画像形成ユニット１Ｙ〜Ｋからの単色トナー画像が転写体としての中間転写ベルト２０に転写されるが、これに限らず、例えば、単色トナー画像が転写体としての記録用紙に転写されるものでもよい。
【００１７】
各画像形成ユニット１Ｙ〜Ｋは、図中矢印の方向に回転駆動される像担持体としての感光体ドラム１０（１０'）と、その感光体ドラム１０の周囲に帯電装置１１、露光装置１２、現像装置１３、一次転写ロール１４、クリーニング装置１５を備えている。なお、この実施形態では、帯電装置１１は帯電ロールを、現像装置１３は現像ロールをそれぞれ備えている。
【００１８】
次に、このカラープリンタ１の基本的な動作を説明する。カラープリンタ１に図示しないパーソナルコンピュータ等から画像形成命令が入力されると、各画像形成ユニット１Ｙ〜Ｋは、その画像形成命令に応じた単色のトナー画像を形成する。すなわち、帯電装置１１により感光体ドラム１０（１０'）が一様に帯電され、画像形成命令に基づいて照射される露光装置１２からのレーザビームにより感光体ドラム１０表面に静電潜像が形成され、現像装置１３により当該静電潜像部分に選択的に単色のトナーが付与され、単色トナー画像が形成される。
【００１９】
そして、一次転写ロール１４からの転写バイアスが印加され、図中矢印の方向に回転駆動される中間転写ベルト２０上に各画像形成ユニット１Ｙ〜Ｋから単色トナー画像が順次重ね合わせられ、中間転写ベルト２０上にフルカラートナー画像が形成される。このフルカラートナー画像は、中間転写ベルト２０の回転とともに二次転写位置へと移動し、中間転写ベルト２０と二次転写ロール２４との間を通過するタイミングに合せて搬送される記録用紙上に、静電的に二次転写される。記録用紙上に（二次）転写されたフルカラートナー画像は、定着系へと搬送され加熱ロール３１と加圧ロール３２とのニップを通過する際に、熱と圧力との作用により記録用紙上に定着される。
【００２０】
ところで、一般にブラックの画像形成ユニット１Ｋは、他のカラーの画像形成ユニット１ＹＭＣに比べて使用頻度が高い。したがって、カラープリンタ１全体の寿命を延長するため、ブラックの画像形成ユニット１Ｋ内の感光体ドラム１０'の径は、他のカラー画像形成ユニット１ＹＭＣ内の感光体ドラム１０の径よりも大きく構成されている。
【００２１】
このような構成を採用すると、ブラックの単色トナー画像のハイライト領域における再現性と、カラー（イエロー、シアン、マゼンタ）の単色トナー画像のハイライト領域における再現性とにばらつきが生じやすい。すなわち、図２（ａ）に示すように、ブラックのトナー画像は他のカラーのトナー画像に比べて再現されやすく、再現開始位置が異なるため、３色又は４色で再現されるグレー画像のカラーバランスが不良となる場合がある。
【００２２】
これは次のようなメカニズムによる。図３は、感光体ドラム１０（１０'）と現像ロール１３ｒとを示し、その現像状態を説明するものである。図３（ａ）は、画像形成ユニット１Ｙ〜Ｃの内部であり、比較的小径の感光体ドラム１０を備えている。一方、図３（ｂ）は、画像形成ユニット１Ｋの内部であり、比較的大径の感光体ドラム１０'を備えている。
【００２３】
ここで、感光体ドラム１０（１０'）の表面には静電潜像Ｉ'が形成されており、現像装置１３の現像ロール１３ｒと近接対峙する現像領域ＤＡにおいてその静電潜像Ｉ'領域に選択的にトナーが与えられ、トナー画像（顕像）Ｉとなる。この際、径の大きい感光体ドラム１０'は径の小さい感光体ドラム１０に比べ、現像ロール１３ｒと近接対峙する現像領域ＤＡが回転方向に広いため、特にハイライト領域におけるトナー再現性に優れる。このようなメカニズムにより、ブラックの単色トナー画像のハイライト領域における再現性と、カラー（イエロー、シアン、マゼンタ）の単色トナー画像のハイライト領域における再現性とにばらつきが生じる。なお、各画像形成ユニット１Ｙ〜Ｋが備える現像装置１３（現像ロール１３ｒの径）は同一である。
【００２４】
そこで、実施形態に係るカラープリンタ１は、感光体ドラム１０（１０'）の径の相違に起因するトナー再現性のばらつきを解消すべく、各画像形成ユニット１Ｙ〜Ｋの画像形成条件Ｃ（Ｙ）〜Ｃ（Ｋ）を異なるように設定している。すなわち、ブラックに対応する画像形成ユニット１Ｋと、カラーに対応する画像形成ユニット１Ｙ〜Ｃとで、ハイライト領域における再現性が等しくなるように（図２（ｂ）参照）、その画像形成条件Ｃ（Ｋ）、Ｃ（Ｙ）〜Ｃ（Ｋ）を設定している。なお、ハイライト領域における再現性を各色で等しくするためには、ブラックの再現性を基準としてカラーの再現性を調整しても良いし、カラーの再現性を基準としてブラックの再現性を調整しても良いし、ある再現性を基準としてカラーの再現性とブラックの再現性との両方を調整してもよい（図２（ｂ）参照）。
【００２５】
以下、具体的な画像形成条件の設定を実施例として説明する。
【実施例１】
【００２６】
本実施例は、ブラックに対応する画像形成ユニット１Ｋと、カラーに対応する画像形成ユニット１Ｙ〜Ｃとで、ハイライト領域における再現性が等しくなるようにその画像形成条件Ｃ（Ｋ）〜（Ｋ）として「感光体ドラム１０と現像ロール１３ｒとの速度差（相対速度）」を調整している。
【００２７】
図４は、本実施例に係るカラープリンタ１の制御系を説明するブロック図である。この制御系は、コントローラ１００と、（回転数制御可能な）現像用モータ１３ｍと、現像ロール１３ｒとを備えている。コントローラ１００には、予め、カラーに対応する現像用モータ１３ｍの回転速度と、ブラックに対応する現像用モータ１３ｍの回転速度とが設定されている。そして、図４（ａ）に示すように、カラーに対応する画像形成ユニット１Ｙ〜Ｃ内の感光体ドラム１０と現像ロール１３ｒとの速度差がＶ（図４（ａ）参照）、ブラックに対応する画像形成ユニット１Ｋ内の感光体ドラム１０'と現像ロール１３ｒとの速度差がｖ（図４（ｂ）参照）、となるように調整されている。ここで、速度差ｖ＜速度差Ｖとなっている。
【００２８】
なお、このような速度差Ｖを実現するために、感光体ドラム１０と現像ロール１３とは順方向に回転するように設定することもできるし、互いに逆方向に回転するように設定することもできる。
【実施例２】
【００２９】
本実施例は、ブラックに対応する画像形成ユニット１Ｋと、カラーに対応する画像形成ユニット１Ｙ〜Ｃとで、ハイライト領域における再現性が等しくなるようにその画像形成条件Ｃ（Ｋ）〜（Ｋ）として「現像バイアスの交流成分の振幅」を調整している。
【００３０】
図５は、本実施例に係るカラープリンタ１の制御系を説明するブロック図である。この制御系は、コントローラ１００と、現像バイアスを供給する（振幅制御可能な）現像用電源装置１３ｐと、現像ロール１３ｒとを備えている。コントローラ１００には、予め、カラーに対応する現像用電源装置１３ｐの交流成分の振幅Ａと、ブラックに対応する現像用電源装置１３ｐの交流成分の振幅ａとが設定されている。そして、振幅a＜振幅Ａとなっている。このように設定することで、現像ロール１３ｒ上の穂立ちトナーが感光体ドラム１０（１０'）へ移動する強さ（勢い）が変化し、感光体ドラム１０（１０'）の径の大小に起因する現像性の違いを補正することができる。
【実施例３】
【００３１】
本実施例は、ブラックに対応する画像形成ユニット１Ｋと、カラーに対応する画像形成ユニット１Ｙ〜Ｃとで、ハイライト領域における再現性が等しくなるようにその画像形成条件Ｃ（Ｋ）〜（Ｋ）として「現像バイアスの交流成分の周期」を調整している。
【００３２】
図６は、本実施例に係るカラープリンタ１の制御系を説明するブロック図である。この制御系は、コントローラ１００と、現像バイアスを供給する（周期（周波数）制御可能な）現像用電源装置１３ｐと、現像ロール１３ｒとを備えている。コントローラ１００には、予め、カラーに対応する現像用電源装置１３ｐの交流成分の周期ｔと、ブラックに対応する現像用電源装置１３ｐの交流成分の周期Ｔとが設定されている。そして、周期ｔ＜周期Ｔとなっている。このように設定することで、現像ロール１３ｒ上の穂立ちトナーの感光体ドラム１０（１０'）へ移動回数が変化し、感光体ドラム１０（１０'）の径の大小に起因する現像性の違いを補正することができる。なお、本実施例では、周期Ｔ＝２ｔとした。
【実施例４】
【００３３】
本実施例は、ブラックに対応する画像形成ユニット１Ｋと、カラーに対応する画像形成ユニット１Ｙ〜Ｃとで、ハイライト領域における再現性が等しくなるようにその画像形成条件Ｃ（Ｋ）〜（Ｋ）として「万線スクリーンの角度」を調整している。
【００３４】
図７は、本実施例に係るカラープリンタ１の制御系を説明するブロック図である。この制御系は、ユーザコントローラ５０、スクリーンセレクタ５１、スクリーン発生装置５２、画像入力装置５３、変調器５４を備えている。スクリーン発生装置５２には、予め、カラーに対応する万線スクリーンの角度θと、ブラックに対応する万線スクリーンの角度θ'とが設定されている。そして、角度θよりも角度θの方が９０°に近くなっている。このように設定することで、カラートナー画像のプロセス方向の現像性が改善され、感光体ドラム１０（１０'）の径の大小に起因する現像性の違いを補正することができる。なお、スクリーンの角度とは、プロセス方向に対する万線スクリーンの方向のなす角度であり、例えば、「スクリーン角度が９０°」は、万線スクリーンが感光体ドラム１０や、現像ロール１３ｒの回転軸に水平に形成されることを意味する。
【００３５】
図８（ａ）は、比較例であり、各画像形成ユニット１Ｙ〜Ｋが備える感光体ドラム１０の径が等しい場合の、ある万線スクリーンの角度を示すものである。ここで、イエローの万線スクリーン角度は１６０°、マゼンタの万線スクリーン角度は２０°、シアンの万線スクリーン角度は１１４°、ブラックの万線スクリーン角度は６６°である。一方、図８（ｂ）は、本実施例であり、ブラックに対応する感光体ドラム１０'の径が、カラーに対応する感光体ドラム１０の径に比べて大きい場合の万線スクリーン角度を示すものである。ここでは、イエロー、シアン、マゼンタの万線スクリーン角度はいずれも９０°である。なお、ブラックの万線スクリーン角度は変化なく６６°である。
【００３６】
ところで、万線スクリーンの線数は、サンプリングする画像に応じて異なる線数を用いる。例えば、通常の画像書類を２００［線／インチ］、色のついた文字書類を３００［線／インチ］、グラフ書類を１５０［線／インチ］の万線スクリーンで出力することができる。そして、スクリーン角度は万線の線数に応じて決められている。
【００３７】
したがって、全体の露光プロセスは次のように行なわれる。まず、ユーザがユーザコントローラ５０を用いて画像種類（通常の画像書類、色の付いた文字書類、グラフ書類）を入力する。すると、スクリーンセレクタ５１は、画像種類に応じた線数選択信号としてその情報を受け取り、その情報をスクリーン発生装置５２に入力する。スクリーン発生装置５２は、線数選択信号に応じた線数と、その線数に対応するスクリーン角度が選択される。そして、画像入力装置２４から入力される画像データは、適切なスクリーンが選択され、変調器５４へ出力される。そして、変調器５４では、画像信号は変調信号として露光装置１２へ入力され、露光装置１２からのレーザ光を変調し、感光体ドラム１０（１０'）にスクリーン状の静電潜像を形成する。
【００３８】
以上のようにして、スクリーンセレクタ５１を備えることで、ユーザが使用する画像の種類に応じた適切な線数、及び適切なスクリーン角度の万線スクリーンが選択される。その結果、ハイライト領域の再現性をブラックとカラーとで調整することが可能となる。
【図面の簡単な説明】
【００３９】
【図１】図１は実施態様に係るカラープリンタの断面概略図である。
【図２】図２はハイライト領域における各色の再現性を説明するグラフである。
【図３】図３は感光体ドラムの径の相違に起因する現像性の違いを説明する模式図である。
【図４】図４は実施例１を説明する模式図である。
【図５】図５は実施例２を説明する模式図である。
【図６】図６は実施例３を説明する模式図である。
【図７】図７は実施例４を説明するブロック図である。
【図８】図８は実施例４の機能を説明する模式図である。
【符号の説明】
【００４０】
１…カラープリンタ（画像形成装置）、１Ｙ〜Ｋ…画像形成ユニット（画像形成部）、１０…感光体ドラム（小径）、１０'…感光体ドラム（大径）、１１…帯電装置、１２…露光装置、１３…現像装置、１３ｒ…現像ロール、１３ｍ…現像用モータ、１３ｐ…現像用電源装置、１４…一次転写ロール、１５…クリーニング装置、２０…中間転写ベルト（転写体）、１００…コントローラ、５１…スクリーンセレクタ、５２…スクリーン発生装置
【図１】
2005115154.tif 000003
【図２】
2005115154.tif 000004
【図３】
2005115154.tif 000005
【図４】
2005115154.tif 000006
【図５】
2005115154.tif 000007
【図６】
2005115154.tif 000008
【図７】
2005115154.tif 000009
【図８】
2005115154.tif 000010